(57)【要約】【課題】本発明は、照明器具および照明システムに関し、無線通信の特性を向上できる照明器具および照明システムを得ることを目的とする。【解決手段】  本発明に係る照明器具は、光源と、該光源を点灯させる点灯回路と、無線信号を受信するアンテナと、該アンテナが接続されるアンテナ端子と、該点灯回路が接続される制御接続端子と、を有し、該点灯回路を収納する筐体と、を備え、該アンテナ端子と該制御接続端子は筐体の外側に露出している。【選択図】図１
2018195422.tif 000002
【特許請求の範囲】
【請求項１】
光源と、
前記光源を点灯させる点灯回路と、
無線信号を受信するアンテナと、
前記アンテナが接続されるアンテナ端子と、前記点灯回路が接続される制御接続端子と、を有し、前記点灯回路を収納する筐体と、
を備え、
前記アンテナ端子と前記制御接続端子は筐体の外側に露出していることを特徴とする照明器具。
【請求項２】
前記アンテナは、前記光源に対して前記点灯回路と反対側に設けられることを特徴とする請求項１に記載の照明器具。
【請求項３】
前記アンテナの長さは、前記無線信号の波長の１／４以上であることを特徴とする請求項１または２に記載の照明器具。
【請求項４】
前記アンテナは、前記筐体に設けられたアンテナ開口を介して、前記筐体の内側で前記アンテナ端子と接続されることを特徴とする請求項１〜３の何れか１項に記載の照明器具。
【請求項５】
請求項１〜４の何れか１項に記載の照明器具と、
制御ユニットと、
を備え、
前記制御ユニットは、
外部からの信号に応じて前記点灯回路を制御する制御部と、
前記制御部と前記制御接続端子とを接続する第１接続端子と、
を備えることを特徴とする照明システム。
【請求項６】
前記制御ユニットは、前記制御部と前記アンテナ端子とを接続する第２接続端子を備え、
前記制御部は、前記無線信号に応じて前記点灯回路を制御することを特徴とする請求項５に記載の照明システム。
【請求項７】
前記制御ユニットは、前記制御部と前記第１接続端子と前記第２接続端子とを搭載した基板を備え、
前記第２接続端子は、前記制御部に隣接して設けられることを特徴とする請求項６に記載の照明システム。
【請求項８】
前記制御ユニットは、前記アンテナによる無線通信の無線チャンネルを設定するチャンネル設定スイッチを備えることを特徴とする請求項６または７に記載の照明システム。
【請求項９】
前記チャンネル設定スイッチは、前記制御部に対して前記第１接続端子および前記第２接続端子と反対側に設けられることを特徴とする請求項８に記載の照明システム。
【請求項１０】
前記制御ユニットは、有線信号が入力される有線信号入力端子を備え、
前記制御部は、前記有線信号入力端子を介して入力された前記有線信号に応じて前記点灯回路を制御することを特徴とする請求項５〜９の何れか１項に記載の照明システム。
【請求項１１】
前記有線信号入力端子は、前記制御部に対して、前記第１接続端子と反対側に設けられることを特徴とする請求項１０に記載の照明システム。
【請求項１２】
前記制御ユニットは、前記制御部を収納するケースを備え、
前記有線信号入力端子は、前記ケースから露出することを特徴とする請求項１０または１１に記載の照明システム。
【請求項１３】
前記制御ユニットは、前記照明器具の側面に取り付けられることを特徴とする請求項５〜１２の何れか１項に記載の照明システム。
【請求項１４】
前記制御ユニットは、前記制御部を収納するケースを備え、
前記第１接続端子と前記第２接続端子は、前記ケースから露出し、
前記制御ユニットが前記照明器具に外側から取り付けられることで、前記第１接続端子と前記制御接続端子とが接続され、前記第２接続端子と前記アンテナ端子とが接続されることを特徴とする請求項６〜９の何れか１項に記載の照明システム。
【発明の詳細な説明】
【技術分野】
【０００１】
本発明は、照明器具および照明システムに関する。
【背景技術】
【０００２】
特許文献１には、光源を有する器具本体と、電力を供給する電源回路と、無線信号を送信または受信するアンテナ部とを備える照明器具が開示されている。この照明器具では、アンテナ部が金属製の筐体の外部に設けられる。このため、例えばダウンライトまたはスポットライトのように、アンテナ部が構造物に埋め込まれる場合でも送信性能または受信性能が確保され易い。
【先行技術文献】
【特許文献】
【０００３】
【特許文献１】特開２０１５−３７０４２号公報
【発明の概要】
【発明が解決しようとする課題】
【０００４】
しかし、特許文献１によると、無線信号を受信するアンテナは天井または地中に埋込配設される。このため、アンテナの送受信特性が天井の材質または土壌の構成物質によって低下する可能性がある。
【０００５】
本発明は、上述の課題を解決するためになされたもので、無線通信の特性を向上できる照明器具および照明システムを得ることを目的とする。
【課題を解決するための手段】
【０００６】
本発明に係る照明器具は、光源と、該光源を点灯させる点灯回路と、無線信号を受信するアンテナと、該アンテナが接続されるアンテナ端子と、該点灯回路が接続される制御接続端子と、を有し、該点灯回路を収納する筐体と、を備え、該アンテナ端子と該制御接続端子は筐体の外側に露出している。
【発明の効果】
【０００７】
本発明に係る照明器具では、アンテナ端子と制御接続端子が外部に露出している。このため、照明器具の外側から、例えば無線信号に応じて点灯回路を制御する制御ユニットを取り付けて点灯回路を制御できる。このため、アンテナと制御ユニットとの間の配線長を短縮できる。従って、無線通信の特性を向上できる。
【図面の簡単な説明】
【０００８】
【図１】実施の形態１に係る照明システムの正面図である。
【図２】実施の形態１に係る照明器具を説明する図である。
【図３】実施の形態１に係る筐体の斜視図である。
【図４】実施の形態１の制御ユニットの側面図である。
【図５】実施の形態２の制御ユニットの側面図である。
【図６】実施の形態３の制御ユニットの正面図である。
【図７】実施の形態４の制御ユニットの正面図である。
【発明を実施するための形態】
【０００９】
本発明の実施の形態に係る照明器具および照明システムについて図面を参照して説明する。同じ又は対応する構成要素には同じ符号を付し、説明の繰り返しを省略する場合がある。
【００１０】
実施の形態１．
図１は、実施の形態１に係る照明システム１００の正面図である。照明システム１００は、照明器具１と制御ユニット２７とを備える。照明器具１は、天井２５に天井取付バネ２６によって固定される。また、照明器具１は、光源が床面側を向くように天井２５に取り付けられる。制御ユニット２７は、照明器具１の側面に取り付けられる。
【００１１】
図２は、実施の形態１に係る照明器具１を説明する図である。照明器具１は光源２を備える。光源２は、１つ以上の発光素子を備える。照明器具１は、光源２を点灯させる点灯回路３を備える。点灯回路３は、筐体７に収納される。筐体７は、点灯回路３の回路基板を収納するケースである。
【００１２】
照明器具１は、無線信号を受信するアンテナ５を備える。アンテナ５は、外部のコントローラまたは外部の照明器具からの無線信号を受信する。アンテナ５は、外部のコントローラまたは外部の照明器具に無線信号を送信するものとしても良い。
【００１３】
筐体７は、アンテナ端子６と制御接続端子４とを有する。アンテナ端子６は、アンテナ５と接続される。アンテナ端子６は、アンテナ５が受信した無線信号を外部の制御ユニットに入力する端子である。制御接続端子４は、点灯回路３と接続される。制御接続端子４は、点灯回路３を制御する外部の制御ユニットからの制御信号を点灯回路３に入力する端子である。アンテナ端子６と制御接続端子４は筐体７の外側に露出している。
【００１４】
照明器具１は、ヒートシンク８を備える。ヒートシンク８は、筐体７を収納する。光源２はヒートシンク８に取り付けられる。ヒートシンク８は、光源２と点灯回路３を放熱させる。光源２の発光素子が設けられる面にはリフレクタ９が設けられる。リフレクタ９は、発光素子を取り囲むように設けられる。リフレクタ９は、光源２が発する光を反射させる。リフレクタ９によって光源２はヒートシンク８に固定される。つまり、光源２はヒートシンク８とリフレクタ９に挟まれる。
【００１５】
リフレクタ９には拡散板１０が装着される。拡散板１０は、光源２が発する光を拡散させる。拡散板１０は光源２の発光領域である発光素子が設けられた部分を覆うように、リフレクタ９に取り付けられる。
【００１６】
アンテナ５は、光源２に対して点灯回路３と反対側に設けられる。アンテナ５はヒートシンク８の外部に設けられる。アンテナ５は、光源２の発光面側において、例えば、発光素子を取り囲むように設けられる。また、光源２の外周部にはアンテナ５とアンテナ端子６との間の配線を通す開口が設けられている。これにより、アンテナ５は、光源２に設けられた開口を通ってアンテナ端子６と接続される。
【００１７】
ヒートシンク８は、ヒートシンク開口部２２を備える。ヒートシンク８に筐体７が収納されると、ヒートシンク開口部２２からアンテナ端子６と制御接続端子４が露出する。従って、アンテナ端子６と制御接続端子４はヒートシンク８から露出する。
【００１８】
図３は、実施の形態１に係る筐体７の斜視図である。筐体７の内側には、点灯回路３を固定する溝が設けられている。また、筐体７はヒートシンク８の内部に収まる大きさである。アンテナ端子６と制御接続端子４は筐体７の側面に設けられる。
【００１９】
制御接続端子４は、点灯回路３と配線２８によって接続される。配線２８は例えばリード線である。制御接続端子４と点灯回路３の接続方法はこれに限らない。
【００２０】
アンテナ端子６とアンテナ５は配線３０によって接続される。配線３０は例えばリード線である。アンテナ端子６とアンテナ５の接続方法はこれに限らない。アンテナ５は、例えば、光源２の発光面と平行な面内で円弧状に設けられる。アンテナ５の長さは、アンテナ５が受信する無線信号の波長の１／４以上である。これにより、アンテナ５の受信特性を確保し易くなる。
【００２１】
筐体７には、アンテナ開口１６が設けられる。アンテナ開口１６は筐体７の光源２に隣接する底面に設けられる。配線３０は、アンテナ開口１６を通り、筐体７の内側でアンテナ端子６と接続される。つまり、アンテナ５は、アンテナ開口１６を介して、筐体７の内側でアンテナ端子６と接続される。筐体７にアンテナ開口１６を設けることで、アンテナ５とアンテナ端子６との間の配線の長さを短縮できる。これにより、照明器具１の無線通信の特性を向上できる。なお、アンテナ開口１６は、筐体７がヒートシンク８に収納された状態で、光源２に設けられた配線３０を通す開口と重なる位置に設けられる。
【００２２】
図４は、実施の形態１の制御ユニット２７の側面図である。制御ユニット２７は、外部からの信号に応じて点灯回路３を制御する制御部１２を備える。本実施の形態の制御部１２は、アンテナ５が受信した無線信号を、点灯回路３を制御する信号に変換する無線モジュールである。制御部１２は、アンテナ５が受信した無線信号に応じて点灯回路３を制御する。
【００２３】
他の照明器具または照明制御機器から制御部１２に送信された無線信号は、例えば、点灯回路３に調光指示をする信号を含む。制御部１２はその無線信号を変換し、例えば調光指令値を点灯回路３に伝達する制御信号を生成する。また、制御部１２に送信された無線信号は、光源２の電源ＯＮ／ＯＦＦについての情報を含むものとしても良い。この場合、制御部１２はその無線信号を変換し、電源ＯＮ／ＯＦＦを点灯回路３に指示する制御信号を生成する。
【００２４】
制御ユニット２７は、制御部１２と制御接続端子４とを接続する第１接続端子１３を備える。第１接続端子１３は、制御部１２からの調光指示を点灯回路３に送信する。また、制御ユニット２７は、制御部１２とアンテナ端子６とを接続する第２接続端子１４を備える。第２接続端子１４は、アンテナ５と制御部１２との間で信号を送受信する端子である。第２接続端子１４はアンテナ５が受信した無線信号を、制御部１２に送信する。
【００２５】
制御ユニット２７は、アンテナ５による無線通信の無線チャンネルを設定するチャンネル設定スイッチ１５を備える。チャンネル設定スイッチ１５により、照明システム１００が他の照明器具または照明制御機器と通信する際の無線チャンネルを変更できる。チャンネル設定スイッチ１５により、通信先の機器を切り替えることができる。また、制御ユニット２７は、制御部１２と第１接続端子１３と第２接続端子１４とチャンネル設定スイッチ１５とを搭載した基板２３を備える。基板２３は、ケース１１に収納されている。
【００２６】
制御ユニット２７は、制御部１２を収納するケース１１を備える。図４に示されるように、チャンネル設定スイッチ１５はケース１１から露出している。このため、使用者がチャンネル設定をし易い。また、図４に示されるように、第１接続端子１３と第２接続端子１４は、基板２３の実装面と垂直な方向に伸びる。これにより、第１接続端子１３と第２接続端子１４は、ケース１１から露出している。第１接続端子１３と第２接続端子１４は、ケース１１の取り付け面から端部が突出している。ケース１１の取り付け面は、制御ユニット２７が照明器具１に取り付けられた状態で照明器具１と対向する面である。
【００２７】
また、照明器具１において、アンテナ端子６と制御接続端子４はヒートシンク８から露出している。このため、制御ユニット２７が照明器具１に外側から取り付けられることで、第１接続端子１３と制御接続端子４とが接続される。さらに、制御ユニット２７が照明器具１に外側から取り付けられることで、第２接続端子１４とアンテナ端子６とが接続される。このとき、第１接続端子１３と第２接続端子１４のケース１１から突出した部分がそれぞれ制御接続端子４とアンテナ端子６と接触する。
【００２８】
第１接続端子１３と制御接続端子４とが互いに嵌合され、第２接続端子１４とアンテナ端子６とが互いに嵌合されることで、制御ユニット２７が照明器具１に固定されるものとしても良い。また、制御ユニット２７は照明器具１に螺旋などで固定されても良い。
【００２９】
実施の形態１における照明システム１００は、照明器具１に制御ユニット２７が電気的に接続されることで無線通信機能を有した照明システム１００として使用される。アンテナ５で受信された他の照明器具または照明制御機器からの無線信号は、アンテナ端子６および第２接続端子１４を介して制御部１２へ伝送される。制御部１２は受信した無線信号を、点灯回路３を制御する調光指示信号に変換する。調光指示信号は、第１接続端子１３および制御接続端子４を通して点灯回路３に送信される。以上から、無線通信による光源２の調光が実現される。
【００３０】
なお、制御ユニット２７は、他の照明器具または照明制御機器に対して、調光指令などの信号を第２接続端子１４およびアンテナ端子６を介してアンテナ５から送信するものとしても良い。
【００３１】
天井裏には、建物によって無線を妨害するダクト等が張り巡らされていることがある。このため、本実施の形態の照明器具１のように一部が構造物に埋め込まれる場合において、安定した無線通信をするには、床面側の無線通信の感度を強くした上で、床面側の反射を利用することが望ましい。本実施の形態に係る照明器具１では、アンテナ５は光源２の発光面側に設けられる。このため、アンテナ５は、天井２５に対して床面側に設けられる。このため、本実施の形態では照明器具１の床面側の無線通信の感度を向上できる。従って、安定した無線通信機能を実現できる。
【００３２】
さらに、照明器具１の側面に制御ユニット２７を直接取り付けることで、アンテナ５と制御ユニット２７との間の配線長を短縮できる。従って、無線通信の特性を向上できる。また、制御ユニット２７は照明器具１に取り外し可能に設けられる。従って、用途に応じて、容易に照明器具１に無線通信機能を付加できる。また、制御ユニット２７の故障時に、制御ユニット２７のみを交換すれば良く、照明器具１を交換しなくても良い。
【００３３】
また、照明システム１００において制御ユニット２７は、筐体７の側部に配置される。制御ユニット２７は、光源２の発光面と反対側に設けられる。このため、制御ユニット２７を接続した照明器具１を天井２５に設置した場合、制御ユニット２７は天井裏に配置される。従って、使用者に違和感を与え難い。また、制御ユニット２７は照明器具１の側面に取り付けられる。このため、制御ユニット２７が照明器具１と離れて設けられる場合と比較して、照明システム１００を小型化できる。
【００３４】
本実施の形態では、照明器具１は天井２５に設置されるものとした。これに限らず、照明器具１は、壁または土壌に埋め込まれても良い。また、照明器具１は、天井２５に天井取付バネ２６によって固定されるものとしたが、照明器具１の天井２５への取り付け方法はこれに限らない。
【００３５】
また、制御ユニット２７は照明器具１の側面に取り付けられるものとしたが、制御ユニット２７と照明器具１の取り付け方法は、これに限定されない。例えば、制御ユニット２７は照明器具１の上に設けられても良い。また、制御ユニット２７は照明器具１に隣接して設けられても良い。
【００３６】
また、本実施の形態では第１接続端子１３および第２接続端子１４が制御接続端子４およびアンテナ端子６とそれぞれ直接接続される。これに限らず、第１接続端子１３と制御接続端子４は、配線などを介して接続されても良い。また、第２接続端子１４とアンテナ端子６は配線などを介して接続されても良い。
【００３７】
これらの変形は以下の実施の形態に係る照明器具および照明システムについて適宜応用することができる。なお、以下の実施の形態に係る照明器具および照明システムについては実施の形態１との共通点が多いので、実施の形態１との相違点を中心に説明する。
【００３８】
実施の形態２．
図５は、実施の形態２の制御ユニット１２７の側面図である。制御ユニット１２７は、有線信号が入力される有線信号入力端子２０を備える。有線信号は、例えば、調光信号である。制御部２１は、有線信号を、点灯回路３を制御する信号に変換する。制御部２１は例えばマイコンである。制御部２１は、有線信号入力端子２０を介して入力された有線信号に応じて点灯回路３を制御する。
【００３９】
制御ユニット１２７は、制御部２１と制御接続端子４とを接続する第１接続端子１８を備える。第１接続端子１８は、制御部２１からの制御信号を点灯回路３に送信する。また、制御ユニット１２７は第２接続端子１９を備える。第２接続端子１９はアンテナ端子６と接続される。第２接続端子１９はアンテナ端子６を保護する端子である。本実施の形態において第２接続端子１９は、制御部２１と接続されていなくても良い。
【００４０】
制御ユニット１２７は、制御部２１と、有線信号入力端子２０と、第１接続端子１８と、第２接続端子１９とを載せた基板２４を備える。また、基板２４はケース１７に収納されている。制御部２１は、ケース１７に収納される。また、第１接続端子１８、第２接続端子１９および有線信号入力端子２０はケース１７から露出している。
【００４１】
本実施の形態では、制御ユニット１２７が照明器具１に外側から取り付けられることで、第１接続端子１８と制御接続端子４とが接続される。さらに、制御ユニット１２７が照明器具１に外側から取り付けられることで、第２接続端子１９とアンテナ端子６とが接続される。
【００４２】
本実施の形態における照明システム１００は、制御ユニット１２７が照明器具１に電気的に接続されることで、有線通信機能を有した照明システム１００として使用される。有線信号入力端子２０には、例えば、有線信号としてＩＥＣ規格ＩＥＣ６２３８６で定められたＤＡＬＩ（Ｄｅｇｉｔａｌ  Ａｄｄｒｅｓｓａｂｌｅ  Ｌｉｇｈｔｉｎｇ  Ｉｎｔｅｒｆａｃｅ）（登録商標）信号またはＰＷＭ（Ｐｕｌｓｅ  Ｗｉｄｔｈ  Ｍｏｄｕｌａｔｉｏｎ）信号が入力される。制御部２１は有線信号を、点灯回路３を制御する制御信号に変換する。制御信号は、第１接続端子１８および制御接続端子４を介して点灯回路３に出力される。以上から、有線通信による光源２の調光が実現される。
【００４３】
なお、制御ユニット１２７は、調光指令などの信号を有線信号入力端子２０から外部に送信するものとしても良い。
【００４４】
本実施の形態において制御ユニット１２７は第２接続端子１９を備えなくても良い。本実施の形態では第２接続端子１９はアンテナ端子６を保護するものとした。これに対し、実施の形態１と同様に、第２接続端子１９はアンテナ５が受信した無線信号を、制御部２１に送信するものとしても良い。この場合、第２接続端子１９は、制御部２１とアンテナ端子６とを接続する。さらに、制御部２１は、無線信号に応じて点灯回路３を制御する。従って、この場合、制御ユニット１２７は無線通信機能と有線通信機能を備えることとなる。
【００４５】
実施の形態３．
図６は、実施の形態３の制御ユニット２２７の正面図である。本実施の形態では、制御ユニット２２７における部品の配置が実施の形態１と異なる。また、図６において便宜上ケース１１は省略されている。基板２３の中央部に、制御部１２が配置される。制御部１２に対して基板２３の一方の側には、第１接続端子１３と第２接続端子１４が配置される。制御部１２に対して基板２３の他方の側には、チャンネル設定スイッチ１５が配置される。チャンネル設定スイッチ１５は、制御部１２に対して第１接続端子１３および第２接続端子１４と反対側に設けられる。
【００４６】
第１接続端子１３と第２接続端子１４は、照明システム１００が天井に取り付けられた場合、基板２３の下側に設けられる。また、チャンネル設定スイッチ１５は、照明システム１００が天井に取り付けられた場合、基板２３の上側に設けられる。また、第１接続端子１３と第２接続端子１４は、制御ユニット２２７が照明器具１に取り付けられた状態で、制御接続端子４とアンテナ端子６とそれぞれ直接接触する位置に配置される。
【００４７】
第２接続端子１４は、制御部１２に隣接して設けられる。また、図６に示されるように、第２接続端子１４は、制御部１２と直線状の配線２９によって接続される。配線２９は、長さが第２接続端子１４と制御部１２との間の最短距離となるように設けられる。
【００４８】
本実施の形態では、第２接続端子１４は基板２３の下側の端部に配置される。これにより、アンテナ５と第２接続端子１４との距離を短縮できる。また、第２接続端子１４は、制御部１２に隣接して設けられ、第２接続端子１４は、制御部１２と最短距離で接続される。これにより、アンテナ５と制御部１２との間の配線長を短縮できる。従って、本実施の形態では、照明システム１００の無線通信の特性をさらに向上できる。
【００４９】
さらに、チャンネル設定スイッチ１５は基板２３の光源２と反対側に設けられる。このため、照明システム１００が天井に取り付けられた状態で、チャンネル設定スイッチ１５は上側に配置される。従って、無線通信の無線チャンネルを設定する際の操作性を向上できる。
【００５０】
実施の形態４．
図７は、実施の形態４の制御ユニット３２７の正面図である。本実施の形態では、制御ユニット３２７における部品の配置が実施の形態２と異なる。また、図７において便宜上ケース１７は省略されている。基板２４の中央部に、制御部２１が配置される。制御部２１に対して基板２４の一方の側には、第１接続端子１８と第２接続端子１９が配置される。制御部２１に対して基板２４の他方の側には、有線信号入力端子２０が配置される。有線信号入力端子２０は、制御部２１に対して、第１接続端子１８と反対側に設けられる。
【００５１】
第１接続端子１８と第２接続端子１９は、照明システム１００が天井に取り付けられた場合、基板２４の下側に設けられる。また、有線信号入力端子２０は、照明システム１００が天井に取り付けられた場合、基板２４の上側に設けられる。また、第１接続端子１８と第２接続端子１９は、制御ユニット３２７が照明器具１に取り付けられた状態で、制御接続端子４とアンテナ端子６とそれぞれ直接接触する位置に配置される。
【００５２】
照明システム１００が天井に取り付けられた状態で、有線信号入力端子２０が上側に配置されることで、工事業者が信号配線をし易くなる。従って、作業性が向上する。また
、有線信号入力端子２０がケース１７から露出することで、信号配線の作業がさらにし易くなる。
【００５３】
また、実施の形態３の基板２３と本実施の形態の基板２４において、第１接続端子１３と第１接続端子１８の配置位置は等しい。また、実施の形態３の基板２３と本実施の形態の基板２４において、第２接続端子１４と第２接続端子１９の配置位置は等しい。これにより、制御ユニット２２７と制御ユニット３２７とにおいて、基板２３、２４を収納するケースを共通化できる。これにより、制御ユニット２２７と制御ユニット３２７において、ケース１１、１７の形状および端子位置が共通化される。このとき、共通の照明器具１に、用途に応じて、無線制御ユニットである制御ユニット２２７または有線制御ユニットである制御ユニット３２７を接続して使用できる。従って、照明器具１の構造を標準化できる。
【００５４】
なお、各実施の形態で説明した技術的特徴は適宜に組み合わせて用いてもよい。
【符号の説明】
【００５５】
１００  照明システム、１  照明器具、２  光源、３  点灯回路、４  制御接続端子、５  アンテナ、６  アンテナ端子、７  筐体、１１、１７  ケース、１２、２１  制御部、１３、１８  第１接続端子、１４、１９  第２接続端子、１５  チャンネル設定スイッチ、１６  アンテナ開口、２０  有線信号入力端子、２３、２４  基板、２７、１２７、２２７、３２７  制御ユニット
【図１】
2018195422.tif 000003
【図２】
2018195422.tif 000004
【図３】
2018195422.tif 000005
【図４】
2018195422.tif 000006
【図５】
2018195422.tif 000007
【図６】
2018195422.tif 000008
【図７】
2018195422.tif 000009